(57)【要約】【課題】  電磁石と吸着板との当接時に発生する音を従来より低減できるシフトレバー装置の提供。【解決手段】  （１）電磁石と、電磁石に吸着解放可能な吸着板と、電磁石を保持する電磁石保持部材と、吸着板を吸着板保持部にて隙間をもって保持する吸着板保持部材と、を有し、吸着板保持部材の吸着板保持部および／または吸着板に緩衝材が設けられているシフトレバー装置。（２）電磁石と、電磁石に吸着解放可能な吸着板と、電磁石を電磁石保持部にて隙間をもって保持する電磁石保持部材と、吸着板を保持する吸着板保持部材と、を有し、電磁石保持部材の電磁石保持部および／または電磁石に緩衝材が設けられているシフトレバー装置。【選択図】        図４
2007022375.tif 000002
【特許請求の範囲】
【請求項１】
電磁石と、
前記電磁石に吸着解放可能な吸着板と、
前記電磁石を保持する電磁石保持部材と、
前記吸着板を吸着板保持部にて隙間をもって保持する吸着板保持部材と、
を有し、
前記吸着板保持部材の前記吸着板保持部および／または前記吸着板に緩衝材が設けられているシフトレバー装置。
【請求項２】
電磁石と、
前記電磁石に吸着解放可能な吸着板と、
前記電磁石を電磁石保持部にて隙間をもって保持する電磁石保持部材と、
前記吸着板を保持する吸着板保持部材と、
を有し、
前記電磁石保持部材の前記電磁石保持部および／または前記電磁石に緩衝材が設けられているシフトレバー装置。
【発明の詳細な説明】
【技術分野】
【０００１】
本発明は、車両用のシフトレバー装置に関する。
【背景技術】
【０００２】
特開２００３−１７０７５７号公報は、電磁石と、電磁石に吸着解放可能な吸着板と、吸着板を保持する吸着板保持部材と、吸着板の裏側に設けられるクッション材と、を有するシフトレバー装置を開示している。
吸着板保持部材は、吸着板と電磁石との面合いのばらつきを吸収して密着させるため、隙間を持って（遊びをもって、ガタをもって）吸着板を保持している。吸着板保持部材は、直接吸着板を保持している。
【０００３】
しかし、従来のシフトレバー装置にはつぎの問題点がある。
吸着板と電磁石との当接時、クッション材では吸収しきれず、打音が大きい。
また、吸着板保持部材が吸着板を直接保持しているため、吸着板が吸着板保持部材に対してがたつき吸着板保持部材に当ったときの打音（金属と樹脂との当接打音）を低減することができない。
【特許文献１】特開２００３−１７０７５７号公報
【発明の開示】
【発明が解決しようとする課題】
【０００４】
本発明が解決しようとする問題点は、電磁石と吸着板との当接時に発生する音が大きいことである。
本発明の目的は、電磁石と吸着板との当接時に発生する音を従来より低減できるシフトレバー装置を提供することにある。
【課題を解決するための手段】
【０００５】
上記目的を達成する本発明はつぎの通りである。
（１）  電磁石と、
前記電磁石に吸着解放可能な吸着板と、
前記電磁石を保持する電磁石保持部材と、
前記吸着板を吸着板保持部にて隙間をもって保持する吸着板保持部材と、
を有し、
前記吸着板保持部材の前記吸着板保持部および／または前記吸着板に緩衝材が設けられているシフトレバー装置。
（２）  電磁石と、
前記電磁石に吸着解放可能な吸着板と、
前記電磁石を電磁石保持部にて隙間をもって保持する電磁石保持部材と、
前記吸着板を保持する吸着板保持部材と、
を有し、
前記電磁石保持部材の前記電磁石保持部および／または前記電磁石に緩衝材が設けられているシフトレバー装置。
【発明の効果】
【０００６】
上記（１）のシフトレバー装置では、吸着板保持部材の吸着板保持部および／または吸着板に緩衝材が設けられているため、吸着板が吸着板保持部材に対してがたついても、吸着板と吸着板保持部材とは緩衝材を介して当り合い吸着板と吸着板保持部材とが直接当りあうことを防止できる。そのため、電磁石と吸着板との当接時に発生する音を低減できる。
上記（２）のシフトレバー装置では、電磁石保持部材の電磁石保持部および／または電磁石に緩衝材が設けられているため、電磁石が電磁石保持部材に対してがたついても、電磁石と電磁石保持部材とは緩衝材を介して当り合い電磁石と電磁石保持部材とが直接当り合うことを防止できる。そのため、電磁石と吸着板との当接時に発生する音を低減できる。
【発明を実施するための最良の形態】
【０００７】
図１〜図１０は、本発明実施例のシフトレバー装置を示している。
本発明実施例のシフトレバー装置は、図示略のシフトレバーが図示略のシフトレバー本体に対して車両前後・左右方向に揺動可能とされたゲート式のシフトレバー装置であってもよく、シフトレバーがシフトレバー本体に対して車両前後方向のみに揺動可能とされたストレート式のシフトレバー装置であってもよく、＋位置と−位置を備えるシーケンシャルタイプのシフトレバー装置であってもよい。
本発明実施例のシフトレバー装置は、図１に示すように、電磁石１０と、電磁石１０に吸着解放可能な吸着板２０と、電磁石１０を保持する電磁石保持部材３０と、吸着板２０を保持する吸着板保持部材４０と、緩衝材５０（図４参照）と、を有する。本発明実施例のシフトレバー装置は、さらに、リンク６０と、ロック用アーム７０と、ケース８０と、を有する。
【０００８】
吸着板保持部材４０は、図９に示すように、吸着板２０と電磁石１０との面合いのばらつきを吸収して密着させるため、隙間を持って（遊びをもって、ガタをもって）吸着板２０を保持している。ただし、吸着板２０と電磁石１０との面合いのばらつきを吸収して密着させるために、電磁石保持部材３０が隙間をもって電磁石１０を保持していてもよい（図示例では、吸着板保持部材４０が隙間をもって吸着板２０を保持している場合を示している）。以下、本発明実施例では、吸着板保持部材４０が吸着板２０を隙間をもって保持する場合を例にとって説明する。
【０００９】
電磁石１０は、常時は、通電されておらず、図示略のシフトレバーがＰ（パーキング）位置にシフトされ、イグニッションスイッチがＯＮにされ、フットブレーキが踏み込まれた時のみ通電される。電磁石１０は、図１に示すように、通電されている時、吸着板２０を吸着する。
吸着板２０は、電磁石１０に吸着・解放可能である。吸着板２０は、吸着板保持部材４０に隙間をもって保持される。吸着板２０は、図４、図１０に示すように、吸着板保持部材４０の挿入穴４１ａに挿入される挿入部２１を有する。
電磁石保持部材３０は、図３に示すように、ケース８０に軸芯Ｐ１まわりに回動可能に取付けられる。電磁石保持部材３０は、シフトレバーがＰ位置にあるとき図３の位置にある。電磁石保持部材３０は、電磁石保持部３１で、電磁石１０をガタなく保持する。電磁石保持部材３０は、リンク６０と連結するためのボス３２を備える。
【００１０】
吸着板保持部材４０は、図１に示すように、ケース８０に電磁石保持部材３０の軸芯Ｐ１と同じ軸芯Ｐ１まわりに回動可能に取付けられる。吸着板保持部材４０は、シフトレバーがＰ位置にあるとき図１の位置にある。
吸着板保持部材４０は、ケース８０に対して、図示略の付勢部材により、図１のＣ方向に回動付勢されている。該付勢部材の付勢力は、電磁石１０の吸着力より弱く設定されている。
吸着板保持部材４０は、図４〜図６に示すように、吸着板２０をガタをもって保持する吸着板保持部４１と、図示略のシフトレバーと当接可能なストッパ部４２と、を備える。
【００１１】
吸着板保持部４１は、吸着板２０の挿入部２１が挿入される挿入穴４１ａと、吸着板２０の下端部を保持する爪部４１ｂを有する。吸着板保持部４１には、吸着板２０を吸着板２０の裏側から爪部４１ｂと挿入穴４１ａの縁とに押し付けるクッション材４３が設けられている。
ストッパ部４２は、電磁石１０が通電されていない時にシフトレバーをＰ位置からＲ（Ｐセレクト）位置にシフト操作したとき、シフトレバーの一部が当る。シフトレバーの一部がストッパ部４２に当接するため、シフトレバーをＲ（Ｐセレクト）位置に操作することはできない（シフトロック状態）。
【００１２】
緩衝材５０は、たとえば、エラストマ、不織布、スポンジ等からなる。緩衝材５０は、吸着板保持部材４０の吸着板保持部４１および／または吸着板２０に設けられている（図４〜図８は、吸着板保持部４１に設けられている場合を示しており、図９、図１０は、吸着板２０のみに設けられている場合を示している）。
緩衝材５０は、吸着板２０が吸着板保持部材４０に対してがたついた時に吸着板２０と吸着板保持部材４０とが衝突する部分に設けられている。緩衝材５０は、吸着板保持部４１および／または吸着板２０と別体に形成されて吸着板保持部４１および／または吸着板２０に組付けられていてもよく、インサート成形またはアウトサート成形にて設けられていてもよい。
【００１３】
リンク６０は、図２に示すように、ケース８０に軸芯Ｐ２周りに回動可能に取付けられている。リンク６０は、シフトレバーがＰ位置にあるとき図２の位置にある。リンク６０は、ケース８０に対して、図示略の付勢部材により、図２のＤ方向に回動付勢されている。リンク６０は、電磁石保持部材３０のボス３２を受け入れる凹部６１と、ロック用アーム７０と当接可能な当接部６２と、を備える。凹部６１は、図２に示すように有底状であってもよく、貫通孔であってもよい。
ロック用アーム７０は、図示略のシフトレバーに固定されている。
ケース８０は、図示略のシフトレバー本体に固定されている。
【００１４】
ここで、本発明実施例の作動を説明する。
図示略のシフトレバーをＰ位置からＲ（Ｐセレクト）位置に操作すると、ロック用アーム７０がリンク６０の当接部６２に当る。この当接部６２は斜面となっており、シフトレバーを動かすにしたがいロック用アーム７０により当接部６２が押し退けられるように作用するためリンク６０は反Ｄ方向に回転する。同時にリンク６０と連結している電磁石保持部材３０も図２に対して反時計周り方向に回転する。
シフトロック解除状態にある時は、電磁石１０は通電されており、電磁石保持部材３０と吸着板保持部材４０とが電磁石１０と吸着板２０を介して固定されるため、シフトレバーの操作によりリンク６０と電磁石保持部材３０が回動すると、吸着板保持部材４０も電磁石保持部材３０と一体的に回転し、ストッパ部４２がシフトレバーのシフト操作を妨げない位置まで移動する。
シフトロック状態にある時は、電磁石１０が通電されておらず、シフトレバーの操作によりリンク６０と電磁石保持部材３０が回転しても吸着板保持部材４０は図１の位置にとどまるため、シフトレバーをＲ（Ｐセレクト）位置まで操作することはできない。
【００１５】
つぎに、本発明実施例の作用・効果を説明する。
本発明実施例では、吸着板保持部４１および／または吸着板２０に緩衝材５０が設けられているため、吸着板２０が吸着板保持部材４０に対してがたついても、吸着板２０と吸着板保持部材４０とは緩衝材５０を介して当り合い吸着板２０と吸着板保持部材４０とが直接当りあうことを防止できる。そのため、電磁石１０と吸着板２０との当接時に発生する音を低減できる。
緩衝材５０を吸着板保持部４１にインサート成形またはアウトサート成形にて設ける場合、クッション材４３や他のクッション（吸着板保持部材４０は吸着板保持部４１以外にも他部品と衝突する部分があるため、その部分にもクッション材を設けてある。）も同時に成形可能である。
【００１６】
本発明実施例では、吸着板保持部４１および／または吸着板２０に緩衝材５０が設けられている場合を例にとって説明したが、電磁石保持部３１および／または電磁石１０に緩衝材５０が設けられている場合には、電磁石１０が電磁石保持部材３０に対してがたついても、電磁石１０と電磁石保持部材３０とは緩衝材５０を介して当り合い電磁石１０と電磁石保持部材３０とが直接当り合うことを防止できる。そのため、電磁石１０と吸着板２０との当接時に発生する音を低減できる。
【図面の簡単な説明】
【００１７】
【図１】本発明実施例のシフトレバー装置の、電磁石保持部材と吸着板保持部材とリンクとの位置関係（特に吸着板保持部材）を示す断面図である。
【図２】本発明実施例のシフトレバー装置の、電磁石保持部材と吸着板保持部材とリンクとの位置関係（特にリンク）を示す断面図である。
【図３】本発明実施例のシフトレバー装置の、電磁石保持部材と吸着板保持部材とリンクとの位置関係（特に電磁石保持部材）を示す断面図である。
【図４】本発明実施例のシフトレバー装置の、吸着板保持部材に緩衝材が設けられているときの、吸着板保持部材の斜視図である。
【図５】本発明実施例のシフトレバー装置の、吸着板保持部材に緩衝材が設けられているときの、吸着板保持部材の正面図である。
【図６】本発明実施例のシフトレバー装置の、吸着板保持部材に緩衝材が設けられているときの、吸着板保持部材の側面図である。
【図７】図６のＡ−Ａ線断面図である。
【図８】図６のＢ−Ｂ線断面図である。
【図９】本発明実施例のシフトレバー装置の、吸着板のみに緩衝材が設けられているときの、吸着板と吸着板保持部材の正面図である。
【図１０】本発明実施例のシフトレバー装置の、吸着板のみに緩衝材が設けられているときの、吸着板の正面図である。
【符号の説明】
【００１８】
１０  電磁石
２０  吸着板
３０  電磁石保持部材
３１  電磁石保持部
４０  吸着板保持部材
４１  吸着板保持部
５０  緩衝材
６０  リンク
７０  ロック用アーム
８０  ケース
【図１】
2007022375.tif 000003
【図２】
2007022375.tif 000004
【図３】
2007022375.tif 000005
【図４】
2007022375.tif 000006
【図５】
2007022375.tif 000007
【図６】
2007022375.tif 000008
【図７】
2007022375.tif 000009
【図８】
2007022375.tif 000010
【図９】
2007022375.tif 000011
【図１０】
2007022375.tif 000012